(57)【要約】【課題】ロール紙がロール紙収納部の底面部に当接することにより発生する障害を低減する。【解決手段】外周面が磁気情報を書き込む磁気面１０６として形成されたロール紙１０１が収納されるロール紙収納部１２を有し、ロール紙収納部は、ロール紙を回転自在に軸支するロール軸支部４１を備えるとともに、ロール軸支部によって軸支されたロール紙のロール部分から垂れ下がった最外周部分の外周面と部分的に当接する当接部６０をロール紙収納部の底面部４９に備えている。【選択図】図３
2014092900.tif 000002
【特許請求の範囲】
【請求項１】
装置の内部に収納されたロール紙の先端部分を切断し、切断したロール紙の先端部分を装置の外部に放出する媒体取扱装置において、
外周面が磁気情報を書き込む磁気面として形成された前記ロール紙が収納されるロール紙収納部を有し、
前記ロール紙収納部は、前記ロール紙を回転自在に軸支するロール軸支部を備えるとともに、前記ロール軸支部によって軸支された前記ロール紙のロール部分から垂れ下がった最外周部分の外周面と部分的に当接する当接部を当該ロール紙収納部の底面部に備えている
ことを特徴とする媒体取扱装置。
【請求項２】
請求項１に記載の媒体取扱装置において、
さらに、磁気面として形成された前記ロール紙の先端部分の外周面と対向する位置に、磁気情報を書き込む磁気ヘッドを有し、
前記当接部は、前記ロール紙の最外周部分の外周面との当接部位が、前記磁気ヘッドによって書き込まれる前記磁気情報の書込領域から前記ロール紙の幅方向に外れた位置に配置されている
ことを特徴とする媒体取扱装置。
【請求項３】
請求項２に記載の媒体取扱装置において、
前記当接部は、その天頂部が前記ロール紙の搬送方向に沿って設けられた、山型状の突出部として設けられており、
前記当接部の前記天頂部は、前記当接部位として機能する
ことを特徴とする媒体取扱装置。
【請求項４】
請求項１乃至請求項３のいずれか一項に記載の媒体取扱装置において、
さらに、前記ロール軸支部を回転駆動する回転駆動源と、
前記ロール紙の先端部分を保持して搬送する搬送部と、
前記搬送部を駆動する搬送駆動源とを有し、
前記回転駆動源は、停止時の制動トルクが前記搬送駆動源の駆動トルクよりも高い駆動源によって構成されており、かつ、前記搬送部による前記ロール紙の先端部分の搬送に際して、事前に、前記ロール軸支部を所定の回転角だけ余分に前記搬送部の方向に回転させることによって、前記搬送部によって先端部分が保持された前記ロール紙の最外周部分をロール部分から垂れ下がった状態にしている
ことを特徴とする媒体取扱装置。
【請求項５】
請求項１乃至請求項４のいずれか一項に記載の媒体取扱装置において、
前記当接部は、前記ロール紙収納部の底面部に、前記ロール紙の搬送方向に沿って、複数列設けられている
ことを特徴とする媒体取扱装置。
【請求項６】
請求項１乃至請求項５のいずれか一項に記載の媒体取扱装置において、
前記当接部は、前記ロール紙収納部の底面部とは別体の、プレス加工によって山型状の突出部が形成された板状部材として成型されている
ことを特徴とする媒体取扱装置。
【請求項７】
請求項１乃至請求項５のいずれか一項に記載の媒体取扱装置において、
前記当接部は、前記ロール紙収納部の底面部に一体に成型されている
ことを特徴とする媒体取扱装置。
【請求項８】
ロール紙がセットされるロール紙セット機構において、
外周面が磁気情報を書き込む磁気面として形成された前記ロール紙が収納されるロール紙収納部を有し、
前記ロール紙収納部は、前記ロール紙を回転自在に軸支するロール軸支部を備えるとともに、前記ロール軸支部によって軸支された前記ロール紙のロール部分から垂れ下がった最外周部分の外周面と部分的に当接する当接部を当該ロール紙収納部の底面部に備えている
ことを特徴とするロール紙セット機構。
【発明の詳細な説明】
【技術分野】
【０００１】
本発明は、装置の内部に収納されたロール紙の先端部分を切断し、切断したロール紙の先端部分を装置の外部に放出する媒体取扱装置、及び、当該媒体取扱装置に用いるロール紙セット機構に関する。
【背景技術】
【０００２】
従来、装置の内部に収納されたロール紙の先端部分を切断し、切断したロール紙の先端部分を装置の外部に放出する媒体取扱装置が広く普及している。ロール紙は、ロール状に巻回された長尺な帯状の紙媒体である。このような媒体取扱装置としては、例えば、交通機関で使用される発券機がある。発券機は、乗車券や入場券、定期券、座席指定券、各種の予約券等の券類を発行（発券）する装置である（例えば、特許文献１参照）。
【０００３】
発券機は、装置の内部に、ロール紙が収納されるロール紙収納部を有している。そして、発券機の中には、ロール紙を回転自在に軸支するロール軸支部がロール紙収納部の内部に設けられているとともに、ロール軸支部を回転駆動させる回転駆動源がロール軸支部の周囲に設けられている装置がある。
【０００４】
ロール紙は、一般に、その中心部分に円環状の紙管を備えており、その紙管がロール軸支部に固定されることにより、ロール紙収納部の内部で回転自在に軸支される。
【０００５】
この発券機は、乗車券や入場券等の券類を発行（発券）する場合に、回転駆動源によってロール軸支部を回転駆動させて、ロール軸支部に軸支されたロール紙の先端部分をロール紙収納部から下流側の機構に繰り出す。
【０００６】
そして、発券機は、ロール紙の先端部分に対して、所定の処理を行う。「所定の処理」としては、例えば、乗車券や入場券等の発券媒体としての印字情報を印字面に印字する処理や、発券媒体としての磁気情報を磁気面に書き込む処理、ロール紙の先端部分を切断する処理等がある。発券機は、これらの所定の処理を行った後、切断されたロール紙の先端部分（以下、「カット媒体」と称する）を発券媒体として装置の外部に放出する。
【０００７】
なお、発券機に使用されるロール紙は、一般に、外周面が磁気面として構成されており、内周面が印字面として構成されている。磁気面は、磁性体が塗布された、磁気情報が書き込まれる面である。印字面は、印字情報が印字される面である。
【先行技術文献】
【特許文献】
【０００８】
【特許文献１】特開２０１２−７９２４８号公報
【発明の概要】
【発明が解決しようとする課題】
【０００９】
発券機に代表される媒体取扱装置は、ロール紙の先端部分を切断して装置の外部に放出するために、回転駆動源によってロール軸支部を回転駆動させて、ロール軸支部に軸支されたロール紙の先端部分をロール紙収納部から下流側の機構に繰り出す。その際に、媒体取扱装置は、重量物であるロール紙の繰り出し動作（特に、その初期動作）を軽快に行えるようにすることが望まれていた。
【００１０】
そこで、本発明の発明者は、ロール紙の繰り出し動作（特に、その初期動作）が軽快に行えるように、ロール紙収納部の内部でロール紙を予め弛（たる）ませておき、ロール紙の繰り出し時に、回転駆動源とは別の駆動源であって、かつ、回転駆動源の停止時の制動トルクよりも低い駆動トルクで駆動する駆動源（以下、「搬送駆動源」と称する）によって、ロール紙を搬送する搬送部を駆動させて、ロール紙の先端部分を下流側の機構に繰り出すことを試みた。
【００１１】
すなわち、本発明の発明者は、ロール軸支部によって軸支されたロール紙の最外周部分をロール部分（紙媒体がロール状に巻回された部分）から垂れ下がらせた状態に予めしておき、ロール紙の繰り出し時に、前記した搬送駆動源によって駆動される搬送部で、ロール紙の先端部分を下流側の機構に繰り出すことを試みた。
【００１２】
なお、搬送駆動源の駆動トルクを回転駆動源の駆動トルクよりも低く設定する理由は、（１）搬送駆動源によって駆動される搬送部が強い搬送力でロール紙をロール紙収納部から引き出すことによるロール紙の伸びや破断を防止するとともに、（２）高出力の搬送駆動源を導入することによる装置の大型化を抑制するため、である。
【００１３】
しかしながら、このような試みを行ったところ、ロール紙の最外周部分の外周面がロール紙収納部の底面と当接し、これによって、塵や埃等の汚れがロール紙収納部の底面部から磁気面である外周面に付着する場合があることが判明した。このような汚れは、特に、湿度が低いときに、静電気により付着し易くなる傾向にある。
【００１４】
そして、その汚れが磁気面の磁気情報の書込領域に付着した場合に、磁気情報の書き込みエラーや読み取りエラー等の障害が発生することがあることが判明した。
【００１５】
本発明は、前記した課題を解決するためになされたものであり、ロール紙がロール紙収納部の底面部に当接することにより発生する障害を低減する媒体取扱装置、及び、当該媒体取扱装置に用いるロール紙セット機構を提供することを主な目的とする。
【課題を解決するための手段】
【００１６】
前記目的を達成するため、第１発明は、装置の内部に収納されたロール紙の先端部分を切断し、切断したロール紙の先端部分を装置の外部に放出する媒体取扱装置であって、外周面が磁気情報を書き込む磁気面として形成された前記ロール紙が収納されるロール紙収納部を有し、前記ロール紙収納部は、前記ロール紙を回転自在に軸支するロール軸支部を備えるとともに、前記ロール軸支部によって軸支された前記ロール紙のロール部分から垂れ下がった最外周部分の外周面と部分的に当接する当接部を当該ロール紙収納部の底面部に備えている構成とする。
【００１７】
この媒体取扱装置は、ロール紙のロール部分から垂れ下がった最外周部分の外周面と部分的に当接する当接部を備えている。当接部は、ロール紙の最外周部分の外周面と部分的に当接することによって、ロール紙の最外周部分の外周面がロール紙収納部の底面部に当接することを防止する。
【００１８】
そのため、この媒体取扱装置は、塵や埃等の汚れがロール紙収納部の底面部から磁気面であるロール紙の外周面（特に、その外周面に設定される磁気情報の書込領域）に付着することを抑制して、磁気情報の書き込みエラーや読み取りエラー等の障害の発生を抑制することができる。
【００１９】
また、第２発明は、ロール紙がセットされるロール紙セット機構であって、外周面が磁気情報を書き込む磁気面として形成された前記ロール紙が収納されるロール紙収納部を有し、前記ロール紙収納部は、前記ロール紙を回転自在に軸支するロール軸支部を備えるとともに、前記ロール軸支部によって軸支された前記ロール紙のロール部分から垂れ下がった最外周部分の外周面と部分的に当接する当接部を当該ロール紙収納部の底面部に備えている構成とする。
このロール紙セット機構は、第１発明に係る媒体取扱装置に用いることができる。
【発明の効果】
【００２０】
本発明によれば、ロール紙がロール紙収納部の底面部に当接することにより発生する障害を低減することができる。
【図面の簡単な説明】
【００２１】
【図１】実施形態に係る媒体取扱装置の構成を示す図（１）である。
【図２】実施形態に係る媒体取扱装置の構成を示す図（２）である。
【図３】実施形態に係る媒体取扱装置の構成を示す図（３）である。
【図４Ａ】実施形態に係る当接部の構成を示す図（１）である。
【図４Ｂ】実施形態に係る当接部の構成を示す図（２）である。
【図５Ａ】実施形態に係る当接部の配置位置を示す図（１）である。
【図５Ｂ】実施形態に係る当接部の配置位置を示す図（２）である。
【図６】実施形態に係る媒体取扱装置内でのロール紙の状態を示す図である。
【図７Ａ】比較例に係る媒体取扱装置内でのロール紙の状態を示す図（１）である。
【図７Ｂ】比較例に係る媒体取扱装置内でのロール紙の状態を示す図（２）である。
【図８】比較例に係る媒体取扱装置で発生する汚れに対する想定可能な対策例の説明図である。
【発明を実施するための形態】
【００２２】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２３】
［実施形態］
＜媒体取扱装置の構成＞
本実施形態に係る媒体取扱装置１は、装置の内部に収納されたロール紙の先端部分を切断し、切断したロール紙の先端部分（以下、「カット媒体」と称する）を装置の外部に放出する装置である。「ロール紙」は、ロール状に巻回された長尺な帯状の紙媒体である。ロール紙は、一般に、その中心部分に円環状の紙管を備えており、その周囲に帯状の紙媒体が巻回されている。
【００２４】
本実施形態では、媒体取扱装置１は、装置の内部に、ロール紙を収納するロール紙収納部が設けられている。そして、媒体取扱装置１は、ロール紙を回転自在に軸支するロール軸支部がロール紙収納部の内部に設けられているとともに、ロール軸支部を回転駆動させる回転駆動源がロール軸支部の周囲に設けられている構成になっている。
【００２５】
さらに、媒体取扱装置１は、ロール紙の繰り出し動作（特に、その初期動作）が軽快に行えるように、ロール紙収納部の内部でロール紙を予め弛（たる）ませておき、ロール紙の繰り出し時に、回転駆動源とは別の駆動源であって、かつ、回転駆動源の停止時の制動トルクよりも低い駆動トルクで駆動する駆動源（以下、「搬送駆動源」と称する）によって、ロール紙を搬送する搬送部（以下、「ロール紙搬送部」と称する）を駆動させて、ロール紙の先端部分を下流側の機構に繰り出す構成になっている。
【００２６】
すなわち、媒体取扱装置１は、ロール軸支部によって軸支されたロール紙の最外周部分をロール部分（紙媒体がロール状に巻回された部分）から垂れ下がらせた状態に予めしておき、ロール紙の繰り出し時に、前記した搬送駆動源によって駆動されるロール紙搬送部で、ロール紙の先端部分を下流側の機構に繰り出す構成になっている。
【００２７】
なお、搬送駆動源の駆動トルクを回転駆動源の駆動トルクよりも低く設定する理由は、（１）搬送駆動源によって駆動される搬送部が強い搬送力でロール紙をロール紙収納部から引き出すことによるロール紙の伸びや破断を防止するとともに、（２）高出力の搬送駆動源を導入することによる装置の大型化を抑制するため、である。
【００２８】
以下、図１〜図３を参照して、本実施形態に係る媒体取扱装置１の構成につき説明する。なお、以下の説明では、「上流」及び「下流」は、媒体の搬送方向を基準にしている。図１〜図３は、それぞれ、実施形態に係る媒体取扱装置の構成を示す図である。図１は、本実施形態に係る媒体取扱装置１の内部の概略構成を示している。図２及び図３は、媒体取扱装置１の内部に設けられたロール紙収納部１２の構成を示している。
【００２９】
ここでは、媒体取扱装置１が交通機関で使用される発券機として構成されている場合を想定して説明する。発券機１は、乗車券や入場券、定期券、座席指定券、各種の予約券等の券類を発行（発券）する装置である。以下、本実施形態に係る媒体取扱装置１を「発券機１」と称する場合がある。ただし、媒体取扱装置１は、交通機関で使用される発券機に限らず、装置の内部にロール紙を収納する様々なタイプの装置として構成されていてもよい。
【００３０】
図１に示すように、本実施形態に係る媒体取扱装置としての発券機１は、発券部３を装置の内部に有している。発券部３は、券類を発行する機構である。その発券部３は、ロール紙セット機構１０、ロール紙印字部１５、磁気部１６、定期券ホッパ部１７、定期券印字部１８、及び、エスカッション部２０を有している。
【００３１】
ロール紙セット機構１０は、ロール紙１０１がセット（装着）される機構である。ロール紙セット機構１０は、内部に、ロール紙１０１が収納されるロール紙収納部１２が設けられており、さらに、そのロール紙収納部１２の内部の中央付近に、ロールボス４１が設けられている。ロールボス４１は、ロール紙１０１の中心部分に設けられた円環状の紙管が取り付けられることによって、ロール紙１０１を回転自在に軸支するロール軸支部として機能する構成要素である。
【００３２】
ロール紙印字部１５は、所定の印字情報をロール紙１０１の先端部分の印字面に印字するとともに、その先端部分をカット媒体として所定の長さにカット（切断）する構成要素である。ロール紙印字部１５は、印字情報を印字するための印字ヘッド１５ａと、ロール紙１０１の先端部分をカット（切断）するための切断部１５ｂとを備えている。
【００３３】
印字ヘッド１５ａは、ロール紙１０１の先端部分の印字面１０７（図３参照）として形成された内周面と対向する位置に設けられている。なお、ロール紙印字部１５は、プラテン１５ｃが、搬送路１３を介して印字ヘッド１５ａと対向する位置に設けられている。プラテン１５ｃは、高品位な印字が行えるように、印字時に媒体（ここでは、ロール紙１０１）を裏面（ここでは、外周面である磁気面１０６（図３参照））から支持する支持部材である。ロール紙印字部１５は、印字時に、ロール紙１０１の裏面（ここでは、外周面である磁気面１０６）をプラテン１５ｃで支持しながら、印字ヘッド１５ａで印字情報をロール紙１０１の表面（ここでは、内周面である印字面１０７（図３参照））に印字する。
【００３４】
切断部１５ｂは、搬送路１３を上下に跨いで設けられている。なお、図１に示す例では、２つの切断部１５ｂが、印字ヘッド１５ａの上流側と下流側とに設けられている。２つの切断部１５ｂが設けられている理由は、発行する券類の種類に応じて、券類のサイズが異なるように、２つの切断部１５ｂを使い分けるためである。
【００３５】
ロール紙印字部１５は、発行する券類の種類に応じて、以下の（１）の動作及び（２）の動作のいずれか一方の動作を選択的に切り替えて行うことができる。
（１）上流側の切断部１５ｂでロール紙１０１の先端部分をカット媒体として切断し、印字ヘッド１５ａで印字情報をカット媒体の印字面１０７に印字し、その後に、磁気ヘッド１６ａで磁気情報をカット媒体の磁気面１０６に書き込む動作。
（２）印字ヘッド１５ａで印字情報をロール紙１０１の先端部分の印字面１０７に印字し、下流側の切断部１５ｂ（又は上流側の切断部１５ｂ）でロール紙１０１の先端部分をカット媒体として切断し、その後に、磁気ヘッド１６ａで磁気情報をカット媒体の磁気面１０６に書き込む動作。
【００３６】
磁気部１６は、所定の磁気情報をカット媒体（切断したロール紙１０１の先端部分）や定期券用の発券媒体の磁気面に書き込んだり、磁気面から磁気情報を読み出したりする構成要素である。磁気部１６は、磁気情報を書き込んだり読み出したりするための磁気ヘッド１６ａを備えている。磁気ヘッド１６ａは、カット媒体の磁気面１０６（図３参照）として形成された外周面と対向する位置に設けられている。
【００３７】
定期券ホッパ部１７は、定期券用の発券媒体が収納される構成要素である。
定期券印字部１８は、発行する定期券に関する印字情報を定期券用の発券媒体の印字面に印字する構成要素である。
エスカッション部２０は、券類の挿入放出口である。
【００３８】
発券機１は、ロール紙１０１の先端部分が搬送される搬送路１３と定期券用の発券媒体が搬送される搬送路１９とを備えている。
搬送路１３は、ロール紙収納部１２からエスカッション部２０に亘って設けられており、その経路上に、ロール紙印字部１５、及び、磁気部１６が配置されている。
一方、搬送路１９は、ロール紙印字部１５と磁気部１６との間の位置で搬送路１３と合流するように、定期券ホッパ部１７からエスカッション部２０に亘って設けられており、その経路上に、定期券印字部１８、及び、磁気部１６が配置されている。
【００３９】
発券機１は、回転駆動源Ｍ１が、ロールボス４１の周囲に設けられている。回転駆動源Ｍ１は、ロールボス４１を回転駆動させる駆動源である。回転駆動源Ｍ１は、駆動トルク及び停止時の制動トルクが後記する搬送駆動源Ｍ２の駆動トルクよりも高い駆動源によって構成されている。回転駆動源Ｍ１は、ロールボス４１を回転駆動させて、ロール紙１０１の先端部分をロール紙収納部１２から下流側の機構に繰り出したり、又は、ロール紙１０１の先端部分を下流側の機構からロール紙収納部１２に引き戻したりする。
【００４０】
発券機１は、ロール紙搬送部１４が、搬送路１３に沿って、設けられている。ロール紙搬送部１４は、ロール紙収納部１２に収納されたロール紙１０１の先端部分を保持して下流側に搬送する機構である。ロール紙搬送部１４は、搬送駆動源Ｍ２によって、駆動されている。搬送駆動源Ｍ２は、回転駆動源Ｍ１の停止時の制動トルクよりも低い駆動トルクで駆動する駆動源である。なお、発券機１は、定期券用の発券媒体を搬送するための図示せぬ搬送機構が、搬送路１９に沿って設けられている。
【００４１】
券類を購入しようとする顧客は、例えば、乗車券や入場券等の券類を購入する取引を行う場合に、図示せぬ顧客操作部を操作して、取引の実行を発券機１に指示する。この場合に、発券機１は、ロール紙セット機構１０にセットされたロール紙１０１を用いて券類を発行（発券）する。
【００４２】
その際に、発券機１は、ロール紙セット機構１０にセットされたロール紙１０１の先端部分を下流側の機構に繰り出し、繰り出されたロール紙１０１の先端部分に対して、所定の処理を行う。この場合の「所定の処理」としては、例えば、乗車券や入場券等の発券媒体としての印字情報を印字面に印字する処理や、発券媒体としての磁気情報を磁気面に書き込む処理、ロール紙１０１の先端部分をカット媒体として切断する処理等がある。発券機１は、これらの所定の処理を行った後、カット媒体を発券媒体としてエスカッション部２０から装置の外部に放出する。なお、エスカッション部２０は、券類の挿入放出口である。
【００４３】
発券機１に使用されるロール紙１０１は、一般に、外周面が磁気面１０６（図３参照）として構成され、内周面が印字面１０７（図３参照）として構成されている。磁気面１０６は、磁性体が塗布された、磁気情報が書き込まれる面である。印字面１０７は、印字情報が印字される面である。
【００４４】
また、顧客は、例えば、定期券を新規に購入する取引を行う場合に、図示せぬ顧客操作部を操作して、取引の実行を発券機１に指示する。この場合に、発券機１は、定期券ホッパ部１７に収納された定期券用の発券媒体を用いて定期券を発行（発券）する。
【００４５】
その際に、発券機１は、定期券ホッパ部１７に収納された定期券用の発券媒体を下流側の機構に繰り出し、繰り出された定期券用の発券媒体に対して、所定の処理を行う。この場合の「所定の処理」としては、例えば、定期券としての印字情報を印字面に印字する処理や、定期券としての磁気情報を磁気面に書き込む処理等がある。発券機１は、これらの所定の処理を行った後、定期券用の発券媒体をエスカッション部２０から装置の外部に放出する。
【００４６】
また、顧客は、例えば、既に購入された定期券を用いて定期券を継続して購入する取引や予め購入された回数券を用いて所望の列車の座席を指定する取引を行う場合に、図示せぬ顧客操作部を操作して、取引の実行を発券機１に指示する。そして、顧客は、定期券や回数券等の券類をエスカッション部２０から発券機１の内部に挿入する。
【００４７】
この場合に、発券機１は、挿入された券類を装置の内部に取り込み、取り込まれた券類に対して、所定の処理を行う。この場合の「所定の処理」としては、例えば、定期券や座席指定券等の発券媒体としての印字情報を印字面に印字する処理や、定期券や座席指定券等の発券媒体としての磁気情報を磁気面に書き込む処理等がある。発券機１は、これらの所定の処理を行った後、挿入された券類をエスカッション部２０から装置の外部に放出する。
【００４８】
図１及び図２に示すように、ロール紙収納部１２は、発券機１の筐体１１に対して、矢印α１の方向への引き出し及び矢印α２の方向への押し戻しを自在に行うことが可能なトレイとして構成されている。
【００４９】
ロール紙収納部１２は、図２に示すように、下方に突出する突出部２２が設けられている。その突出部２２の内部には、給紙ローラ２３が設けられている。給紙ローラ２３は、ロール紙１０１の先端部分を筐体１１の内部に設けられたロール紙搬送部１４（図２に示す例では、搬送ローラ１４ａ，１４ｂ）側に向けて繰り出すローラである。
【００５０】
ロール紙収納部１２及び筐体１１は、互いの間でロール紙１０１の先端部分を受け渡す開口部が、搬送路１３の周囲に設けられている。以下、ロール紙収納部１２側に設けられた開口部を「収納部側受渡口２４」と称し、筐体１１側に設けられた開口部を「筐体側受渡口２５」と称する。収納部側受渡口２４と筐体側受渡口２５とは、互いに対向している。搬送路１３は、ロール紙収納部１２が矢印α１の方向に引き出された場合に、収納部側受渡口２４と筐体側受渡口２５とによって分断される。
【００５１】
図３は、ロール紙収納部１２及びその周囲の詳細な構成を示している。図３に示すように、発券機１の筐体１１（図１及び図２参照）は、その一部が筐体フレーム３１として構成されている。筐体フレーム３１は、ロール紙収納部１２に対向する壁面３２にレール３３を備えている。レール３３は、ロール紙収納部１２の引き出し方向に沿って延在して設けられている。
【００５２】
ロール紙収納部１２は、筐体フレーム３１の壁面３２に対向する側の面に、レール３３に対して移動可能に係合する係合部（以下、「レール係合部４４」と称する）を備えている。また、ロール紙収納部１２は、内部に、ロールボス４１、及び、挿入部４２を備えている。ロールボス４１は、前記した通り、ロール紙１０１を回転自在に軸支するロール軸支部として機能する構成要素である。挿入部４２は、ロール紙１０１の先端部分が挿入されることにより、ロール紙１０１をロール紙搬送部１４に導く部位である。また、ロール紙収納部１２は、ロール紙収納部１２の引き出し方向の面に、取手部４３を備えている。取手部４３は、ロール紙収納部１２の引き出し時に、発券機１を管理する係員によって把持される部位である。
【００５３】
発券機１は、ロール紙１０１の交換時に、係員によって、ロール紙収納部１２が筐体フレーム３１から引き出されて、ロール紙１０１がロールボス４１に取り付けられる。係員は、ロール紙１０１をロールボス４１に取り付けると、ロール紙１０１の先端部分を挿入部４２に挿入して、ロール紙収納部１２を筐体フレーム３１の内部に押し戻す。
【００５４】
これにより、挿入部４２に挿入されたロール紙１０１の先端部分が、ロール紙搬送部１４に導かれる。ロール紙搬送部１４は、ロール紙１０１の先端部分を下流側に向けて搬送する。そして、ロール紙搬送部１４は、ロール紙１０１の先端部分をロール紙印字部１５の手前の位置で停止させて、その状態を所定のタイミングまで保持する。
【００５５】
この後、発券機１は、いずれかの時点で、顧客が図示せぬ顧客操作部を操作することにより、例えば、券類の発行取引の指示を受け付ける。ここでは、取引の形態がロール紙収納部１２にセットされたロール紙１０１を用いる取引（例えば、乗車券の発行取引）である場合を想定して説明する。
【００５６】
すると、発券機１は、ロール紙１０１の先端部分をロール紙印字部１５に搬送し、ロール紙印字部１５で、所定の印字情報をロール紙１０１の先端部分の印字面１０７に印字して、その先端部分をカット媒体として所定の長さにカットし（又は、ロール紙１０１の先端部分をカット媒体として所定の長さにカットして、所定の印字情報をその印字面１０７に印字し）、カット媒体を磁気部１６に搬送する。
【００５７】
そして、発券機１は、磁気部１６で、所定の磁気情報を、カット媒体の磁気面１０６に書き込み、書き込まれた磁気情報のチェックを行う。発券機１は、チェックが正常に行われた場合に、カット媒体をエスカッション部２０に搬送して、券類としてエスカッション部２０から装置の外部に放出する。これにより、発券機１は、券類を発行（発券）する。
【００５８】
なお、発券機１は、取引の形態が定期券ホッパ部１７にセットされた発券媒体を用いる取引（すなわち、定期券の発行取引）である場合に、以下のように動作する。
【００５９】
まず、発券機１は、発券媒体を定期券ホッパ部１７から搬送路１９に繰り出し、発券媒体を定期券印字部１８に搬送し、定期券印字部１８で、所定の印字情報を発券媒体の印字面に印字して、発券媒体を磁気部１６に搬送する。
【００６０】
そして、発券機１は、磁気部１６で、所定の磁気情報を、発券媒体の磁気面に書き込み、書き込まれた磁気情報のチェックを行う。発券機１は、チェックが正常に行われた場合に、発券媒体をエスカッション部２０に搬送して、定期券としてエスカッション部２０から外部に放出する。これにより、発券機１は、定期券を発行（発券）する。
【００６１】
図３に示すように、発券機１は、ロール紙収納部１２の底面部４９に、当接部６０を備えている。当接部６０は、ロールボス４１によって軸支されたロール紙１０１のロール部分１０２（図６参照）から垂れ下がった最外周部分（弛み部分）１０３（図６参照）の外周面（磁気面１０６）と部分的に当接して、ロール紙１０１の最外周部分１０３をロール紙収納部１２の底面部４９から離間させる構成要素である。
【００６２】
当接部６０は、ロール紙１０１の最外周部分１０３の外周面（磁気面１０６）と部分的に当接することによって、ロール紙１０１の最外周部分１０３の外周面（磁気面１０６）がロール紙収納部１２の底面部４９に当接することを防止する。
【００６３】
そのため、発券機１は、塵や埃等の汚れがロール紙収納部１２の底面部４９からロール紙１０１の最外周部分１０３の外周面（磁気面１０６）（特に、その外周面に設定される磁気情報の書込領域）に付着することを抑制して、磁気情報の書き込みエラーや読み取りエラー等の障害の発生を抑制することができる。
【００６４】
図４Ａ及び図４Ｂに、当接部６０の構成を示す。図４Ａ及び図４Ｂは、それぞれ、実施形態に係る当接部６０の構成を示す図である。図４Ａは、当接部６０を含む、図３に示すＡ部分の構成を拡大して示している。図４Ａは、斜め方向から見た当接部６０の構成を示しており、図４Ｂは、図４Ａの右方向から見た当接部６０の構成を示している。
【００６５】
ここでは、当接部６０は、ロール紙収納部１２の底面部４９とは別体の、板状部材によって構成されている場合を想定して説明する。しかしながら、当接部６０は、ロール紙収納部１２の底面部４９と一体に成型された構成要素とすることも可能である。
【００６６】
本実施形態では、当接部６０は、長尺な板状部材によって構成されている。当接部６０を構成する材料としては、後記する汚れ１０９（図７Ｂ参照）の基となる塵や埃等の静電気による付着が発生し難くなるように、合成樹脂材よりも、帯電性の低い金属材（例えば、ＳＰＣＣ−ＳＤ鋼等）が好ましい。
【００６７】
当接部６０は、ロール紙収納部１２の底面部４９に、ロール紙１０１の先端部分の搬送方向（以下、単に「ロール紙１０１の搬送方向」と称する）に沿って、複数列（図３及び図４Ａに示す例では、２列）配置される。当接部６０は、ロール紙１０１の搬送方向に沿って、固定部６１及び突出部６２を備えている。
【００６８】
固定部６１は、ビス等によってロール紙収納部１２の底面部４９に固定される部位である。固定部６１は、少なくともロール紙収納部１２の底面部４９に対向する側の面が、ロール紙収納部１２の底面部４９と密着するように、平坦面として形成されている。
【００６９】
突出部６２は、ロール紙１０１のロール部分１０２（図６参照）から垂れ下がった最外周部分（弛み部分）１０３（図６参照）の外周面（磁気面１０６）と部分的に当接する部位である。突出部６２は、その下面がロール紙収納部１２の底面部４９から離間するように、長手方向に沿って、山型状（略三角形状）に突出する構成になっている。
【００７０】
当接部６０は、ロール紙１０１の搬送方向に沿って、ロール紙収納部１２の底面部４９に配置される。そのため、当接部６０は、突出部６２の天頂部６２ａがロール紙１０１の搬送方向に沿って延在して配置される。
【００７１】
当接部６０は、その天頂部６２ａが山型状（略三角形状）の突出部６２として設けられている。そのため、当接部６０は、天頂部６２ａがロール紙１０１の最外周部分１０３（図６参照）の外周面（磁気面１０６）と当接する場合に、天頂部６２ａでロール紙１０１の最外周部分１０３をロール紙収納部１２の底面部４９から浮かせた状態（離間させた状態）にする。
【００７２】
その結果、発券機１は、塵や埃等の汚れ１０９がロール紙収納部１２の底面部４９からロール紙１０１の最外周部分１０３の外周面（磁気面１０６）（特に、その外周面に設定される磁気情報の書込領域である書込トラックＴｒ）に付着することを抑制して、磁気情報の書き込みエラーや読み取りエラー等の障害の発生を低減することができる。
【００７３】
また、当接部６０は、前記した通り、その天頂部６２ａが山型状（略三角形状）の突出部６２として設けられている。そのため、当接部６０は、天頂部６２ａにかかるロール紙１０１の最外周部分１０３（図６参照）の荷重を分散させることができる。
【００７４】
その結果、発券機１は、ロール紙１０１の繰り出し動作時に、ロール紙１０１の最外周部分１０３が当接部６０の上を走行しても、傷（擦過傷）がロール紙１０１の最外周部分１０３に付くことを防止することができる。
【００７５】
なお、当接部６０は、好ましくは、天頂部６２ａが小径の円弧状の部位（以下、「小径円弧部」と称する）として形成されているとよい。これにより、発券機１は、ロール紙１０１の繰り出し動作時に、傷（擦過傷）がロール紙１０１の最外周部分１０３に付くことをさらに効率よく防止することができる。
【００７６】
また、当接部６０は、図４Ａ及び図４Ｂに示す当接部６０と同様の形状の型で平坦な板状部材をプレス加工して成型する場合に、大量に生産することができるため、このような手法で成型することが好ましい。
【００７７】
当接部６０の天頂部６２ａは、ロール紙１０１の幅方向に対して、磁気ヘッド１６ａ（図１参照）によって磁気情報が書き込まれる磁気情報の書込領域から外れた位置に配置される。
【００７８】
以下、図５Ａ及び図５Ｂを参照して、当接部６０の天頂部６２ａの配置位置につき説明する。図５Ａ及び図５Ｂは、それぞれ、実施形態に係る当接部６０の配置位置を示す図である。
【００７９】
図５Ａは、基準面１３ａから２つの当接部６０の天頂部６２ａまでの距離Ｐ１，Ｐ２を示している。ここで、「基準面１３ａ」とは、ロール紙収納部１２の底面部４９の上を走行するロール紙１０１の片側の辺と当接して、ロール紙１０１の走行の基準となる面を意味している（図４Ｂ参照）。
【００８０】
図５Ｂは、当接部６０の天頂部６２ａが配置可能な領域（以下、「天頂部配置可能領域Ｒｐ」と称する）の位置を示している。天頂部配置可能領域Ｒｐは、隣接する書込トラックＴｒと書込トラックＴｒとの間の領域となっている。書込トラックＴｒは、磁気ヘッド１６ａ（図１参照）によって磁気情報が書き込まれる磁気情報の書込領域である。図５Ｂに示す例では、１０本の書込トラック１Ｔｒ〜１０Ｔｒが示されており、これに対応して、９本の天頂部配置可能領域１Ｒｐ〜９Ｒｐが示されている。
【００８１】
当接部６０の天頂部６２ａは、図５Ａに示す距離Ｐ１，Ｐ２が天頂部配置可能領域Ｒｐの中に位置するように、ロール紙収納部１２の底面部４９の上に配置される。
【００８２】
係る構成において、発券機１は、前記した通り、ロール紙１０１の繰り出し動作（特に、その初期動作）が軽快に行えるように、ロール紙収納部１２の内部でロール紙１０１を予め弛（たる）ませておき、ロール紙１０１の繰り出し時に、搬送駆動源Ｍ２によって、ロール紙搬送部１４を駆動させて、ロール紙１０１の先端部分を下流側に繰り出す構成になっている。
【００８３】
すなわち、発券機１は、図６に示すように、ロールボス４１によって軸支されたロール紙１０１の最外周部分１０３をロール部分（紙媒体がロール状に巻回された部分）１０２から垂れ下がらせた状態に予めしておき、ロール紙１０１の繰り出し時に、搬送駆動源Ｍ２によって駆動されるロール紙搬送部１４（図１参照）で、ロール紙１０１の先端部分を下流側に繰り出す構成になっている。なお、図６は、実施形態に係る媒体取扱装置（発券機１）内でのロール紙１０１の状態を示す図である。
【００８４】
ロール紙１０１は、図６に示すように、その最外周部分１０３がロール部分１０２から垂れ下がった状態になる。なお、この状態は、発券機１の制御部４（図１参照）が回転駆動源Ｍ１を以下のように動作させることにより、実現される。すなわち、回転駆動源Ｍ１は、ロール紙搬送部１４によるロール紙１０１の先端部分の搬送に際して、事前に、ロールボス４１を所定の回転角だけ余分にロール紙搬送部１４の方向に回転させる。ロールボス４１によって軸支されているロール紙１０１は、その先端部分がロール紙搬送部１４によって保持されている。そのため、ロール紙１０１は、その最外周部分１０３が、弛んで、ロール部分１０２から垂れ下がった状態になる。
【００８５】
発券機１は、ロール紙１０１の最外周部分１０３がロール部分１０２から垂れ下がった状態になると、ロール紙収納部１２の底面部４９に設けられた当接部６０の天頂部６２ａがロール紙１０１の最外周部分１０３の外周面（磁気面１０６）と部分的に当接する。そのため、発券機１は、ロール紙１０１の最外周部分１０３をロール紙収納部１２の底面部４９から離間させることができる。
【００８６】
ここで、図７Ａ及び図７Ｂを参照して、ロール紙１０１の最外周部分１０３をロール紙収納部１２の底面部４９から離間させることの利点につき説明する。図７Ａ及び図７Ｂは、それぞれ、比較例に係る媒体取扱装置１００１内でのロール紙１０１の状態を示す図である。
【００８７】
図７Ａ及び図７Ｂに示す比較例に係る媒体取扱装置１００１は、本実施形態に係る媒体取扱装置１から当接部６０（図６参照）が排除された構成になっている。比較例に係る媒体取扱装置１００１は、当接部６０が排除されているため、図７Ａに示すように、ロール紙１０１のロール部分１０２から垂れ下がった最外周部分１０３の外周面（磁気面１０６）が、ロール紙収納部１２の底面部４９と当接した状態になる。
【００８８】
その結果、塵や埃等の汚れ１０９が、ロール紙１０１の磁気面１０６に付着する場合がある。この汚れ１０９は、磁気情報の書込領域である磁気トラックＴｒに付着すると（特に、例えば、点線で囲んで示す領域のように、磁気トラックＴｒを横断するように付着すると）、磁気情報の書き込みエラーや読み取りエラー等の障害を発生する原因となる。
【００８９】
一方、本実施形態に係る発券機１は、当接部６０がロール紙１０１の最外周部分１０３の外周面（磁気面１０６）と部分的に当接することによって、ロール紙１０１の最外周部分１０３がロール紙収納部１２の底面部４９に当接することを防止する。
【００９０】
そのため、発券機１は、塵や埃等の汚れ１０９がロール紙収納部１２の底面部４９からロール紙１０１の最外周部分１０３の外周面（磁気面１０６）（特に、その外周面に設定される磁気情報の書込領域である書込トラックＴｒ）に付着することを抑制して、磁気情報の書き込みエラーや読み取りエラー等の障害の発生を低減することができる。
【００９１】
しかも、発券機１は、当接部６０の天頂部６２ａが、天頂部配置可能領域Ｒｐに配置されている。すなわち、発券機１は、当接部６０の天頂部６２ａが、磁気情報の書込領域である磁気トラックＴｒからロール紙１０１の幅方向に外れた位置に配置されている。そのため、当接部６０は、ロール紙１０１の幅方向に横断することなく、ロール紙１０１の搬送方向に沿って、ロール紙１０１の最外周部分１０３の外周面（磁気面１０６）と線接触する。
【００９２】
このような発券機１は、当接部６０がロール紙１０１の外周面（磁気面１０６）の磁気情報の書込領域である磁気トラックＴｒに接触することを防止する。そのため、発券機１は、塵や埃等の汚れ１０９が当接部６０からロール紙１０１の書込トラックＴｒに付着することを防止して、磁気情報の書き込みエラーや読み取りエラー等の障害の発生をより効果的に低減することができる。
【００９３】
なお、図７Ａ及び図７Ｂに示す比較例に係る媒体取扱装置１００１で発生する汚れ１０９に対して、例えば、図８に示す対策例を講じることができる。図８は、比較例に係る媒体取扱装置１００１で発生する汚れ１０９に対する想定可能な対策例の説明図である。以下、図８を参照して、汚れ１０９に対する想定可能な対策例につき説明する。
【００９４】
図８（ａ）は、第１対策例１１００の構成を示している。第１対策例１１００は、ロール紙収納部１２の底面部４９に、貫通孔１１０１を、ロール紙１０１の搬送方向に沿って設けた構成となっている。貫通孔１１０１は、磁気トラックＴｒの位置に対応して設けられている。第１対策例１１００は、貫通孔１１０１が磁気トラックＴｒの位置に対応して設けられているので、磁気トラックＴｒがロール紙収納部１２の底面部４９に当接することを防止することができるとともに、塵や埃等が貫通孔１１０１の壁面１１０１ａ内に入るので、塵や埃等の汚れ１０９が磁気トラックＴｒに付着することを抑制することができる。これによって、第１対策例１１００は、磁気情報の書き込みエラーや読み取りエラー等の障害を低減することができる。
【００９５】
図８（ｂ）は、第２対策例１２００の構成を示している。第２対策例１２００は、第１対策例１１００と比較すると、貫通孔１１０１の代わりに、溝部１２０１がロール紙収納部１２の底面部４９に設けられている点で相違している。第２対策例１２００は、溝部１２０１が磁気トラックＴｒの位置に対応して設けられているので、磁気トラックＴｒがロール紙収納部１２の底面部４９に当接することを防止することができるとともに、塵や埃等が溝部１２０１の壁面１２０１ａ内に入るので、塵や埃等の汚れ１０９が磁気トラックＴｒに付着することを抑制することができる。これによって、第２対策例１２００は、磁気情報の書き込みエラーや読み取りエラー等の障害を低減することができる。
【００９６】
第２対策例１２００は、貫通孔１１０１の代わりに、溝部１２０１が設けられているため、第１対策例１１００よりもロール紙収納部１２の底面部４９の強度の低下が抑制されている。
【００９７】
図８（ｃ）は、第３対策例１３００の構成を示している。第３対策例１３００は、第２対策例１２００と比較すると、第２対策例１２００の溝部１２０１がロール紙１０１の搬送方向に沿って設けられているのに対して、溝部１３０１がロール紙１０１の搬送方向に対して傾斜して設けられている点で相違している。第３対策例１３００は、ロール紙１０１の走行に伴って、溝部１３０１の壁面１３０１ａがロール紙１０１の磁気面１０６に付着した汚れ１０９に当接することによって、汚れ１０９をロール紙１０１の磁気面１０６から掻き落とすことができる。これによって、第３対策例１３００は、磁気情報の書き込みエラーや読み取りエラー等の障害を低減することができる。
【００９８】
第３対策例１３００は、溝部１３０１が傾斜して設けられているため、溝部１３０１の壁面１３０１ａが汚れ１０９と当接し易くなっている。そのため、第３対策例１３００は、第２対策例１２００よりも効率よく汚れ１０９を掻き落とすことができる。
【００９９】
図８（ｄ）は、第４対策例１４００の構成を示している。第４対策例１４００は、本実施形態に係る当接部６０をロール紙収納部１２の底面部４９に設ける構成（図４Ａ参照）と比較すると、当接部６０の代わりに、当接部１４６０をロール紙収納部１２の底面部４９に設ける点で相違している。第４対策例１４００に係る当接部１４６０は、固定部１４６１と突出部１４６２とが略Ｌ字状に直交して配置された構成になっている。
【０１００】
なお、固定部１４６１は、ビス等によってロール紙収納部１２の底面部４９に固定される部位である。突出部６２は、ロール紙１０１のロール部分１０２から垂れ下がった最外周部分１０３の外周面（磁気面１０６）と部分的に当接する部位である。
【０１０１】
第４対策例１４００は、本実施形態に係る当接部６０を設ける構成（図４Ａ参照）と同様に、ロール紙１０１の最外周部分１０３をロール紙収納部１２の底面部４９から離間させるため、汚れ１０９のロール紙１０１の磁気面１０６への付着を抑制することができる。
【０１０２】
以上の通り、本実施形態に係る媒体取扱装置１によれば、ロール紙がロール紙収納部の底面部に当接することにより発生する障害を低減することができる。
【０１０３】
本発明は、前記した実施形態に限定されることなく、本発明の要旨を逸脱しない範囲で種々の変更や変形を行うことができる。
【０１０４】
例えば、実施形態では、当接部６０は、ロール紙収納部１２の底面部４９とは別体の、プレス加工によって山型状の突出部６２が形成された板状部材として構成されている。しかしながら、当接部６０は、プレス加工等でロール紙収納部１２を製造する際に、ロール紙収納部１２の底面部４９と一体に成型された構成要素とすることも可能である。
【符号の説明】
【０１０５】
１    媒体取扱装置（発券機）
３    発券部
４    制御部
１０    ロール紙セット機構
１１    筐体
１２    ロール紙収納部
１３，１９    搬送路
１３ａ    基準面
１４    ロール紙搬送部
１４ａ，１４ｂ    搬送ローラ
１５    ロール紙印字部
１５ａ    印字ヘッド
１５ｂ    切断部
１６    磁気部
１６ａ    磁気ヘッド
１７    定期券ホッパ部
１８    定期券印字部
２０    エスカッション部（券類挿入排出口）
２２    突出部
２３    給紙ローラ
２４    収納部側受渡口
２５    筐体側受渡口
３１    筐体フレーム
３２    壁面
３３    レール
４１    ロールボス（ロール軸支部）
４２    挿入部
４３    取手部
４４    レール係合部
４９    底面部
６０    当接部
６１    固定部
６２    突出部（折曲部）
６２ａ    天頂部（小径円弧部）
１０１    ロール紙
１０２    ロール部分
１０３    最外周部分（弛み部分）
１０６    磁気面
１０７    印字面
１０９    汚れ（塵埃等）
Ｍ１    回転駆動源
Ｍ２    搬送駆動源
Ｐ１，Ｐ２    距離
Ｒｐ    天頂部配置可能領域
Ｔｒ    書込トラック（書込領域）
【図１】
2014092900.tif 000003
【図２】
2014092900.tif 000004
【図３】
2014092900.tif 000005
【図４Ａ】
2014092900.tif 000006
【図４Ｂ】
2014092900.tif 000007
【図５Ａ】
2014092900.tif 000008
【図５Ｂ】
2014092900.tif 000009
【図６】
2014092900.tif 000010
【図７Ａ】
2014092900.tif 000011
【図７Ｂ】
2014092900.tif 000012
【図８】
2014092900.tif 000013